(57)【要約】【課題】パネル式防護柵について、Ｈ型鋼から成る支柱間でパネル板が横ずれするのを有効に防止できる技術を提供する。【解決手段】Ｈ型鋼から成る複数の支柱を等間隔に立設し、該Ｈ型鋼から成る支柱間に矩形のパネル板を高さ方向に複数枚固定して防護柵を構成するパネル式防護柵において、前記Ｈ型鋼から成る支柱が揺動することにより矩形のパネル板が横ずれするのを防止する横ずれ防止金具であって、前記各Ｈ型鋼から成る支柱の左右それぞれのフランジ内に嵌合するように挿入されるコ字状金具と、該コ字状金具のコ字の一辺側をパネル板に固定するボルトと、該コ字状金具の他辺側と前記フランジを挟んで対向する長尺の押圧金具と、該押圧金具と前記コ字状金具の他辺側とを前記フランジの厚み分の間隔を空けて相互に固定する締結ボルトを有する。【選択図】  図２
2018066248.tif 000002
【特許請求の範囲】
【請求項１】
Ｈ型鋼から成る複数の支柱を等間隔に立設し、該Ｈ型鋼から成る支柱間に矩形のパネル板を高さ方向に複数枚固定して防護柵を構成するパネル式防護柵において、前記Ｈ型鋼から成る支柱が揺動することにより矩形のパネル板が横ずれするのを防止する横ずれ防止金具であって、
前記各Ｈ型鋼から成る支柱の左右それぞれのフランジ内に嵌合するように挿入されるコ字状金具と、該コ字状金具のコ字の一辺側をパネル板に固定するボルトと、該コ字状金具の他辺側と前記フランジを挟んで対向する長尺の押圧金具と、該押圧金具と前記コ字状金具の他辺側とを前記フランジの厚み分の間隔を空けて相互に固定する締結ボルトを有することを特徴とするパネル式防護柵の横ずれ防止金具。
【請求項２】
Ｈ型鋼から成る複数の支柱を等間隔に立設し、該Ｈ型鋼から成る支柱間に矩形のパネル板を高さ方向に複数枚固定して防護柵を構成するパネル式防護柵において、前記Ｈ型鋼から成る支柱が揺動することにより矩形のパネル板が横ずれするのを防止する横ずれ防止構造であって、
第１の横ずれ防止手段として、前記各Ｈ型鋼から成る支柱の左右それぞれのフランジ内に嵌合するように挿入されるコ字状金具と、該コ字状金具のコ字の一辺側をパネル板に固定するボルトと、該コ字状金具の他辺側と前記フランジを挟んで対向する長尺の押圧金具と、該押圧金具と前記コ字状金具の他辺側とを前記フランジの厚み分の間隔を空けて相互に固定する締結ボルトを有する横ずれ防止金具を備え、
第２の横ずれ防止手段として、前記高さ方向に複数枚固定されたパネル板のうち少なくとも隣接する最上段のパネル板同士を相互に固定する横ずれ防止バーを備えていることを特徴とするパネル式防護柵の横ずれ防止構造。
【発明の詳細な説明】
【技術分野】
【０００１】
本発明は、パネル式防護柵の横ずれ防止金具及び構造に関し、特に、地震による外力等に起因してパネル式防護柵が横方向に搖動しても、パネル板が外れ、或いは落下するのを防止可能なパネル式防護柵の横ずれ防止金具及び構造に関する。
【背景技術】
【０００２】
パネル式防護柵は、例えば、山腹等の傾斜地を通る道路の改良工事として、通行を遮断せずに、道路の山側の斜面を補強する工事を行う場合等、通常、道路の山側に仮設の防護柵を設置する場合に用いられる。このような仮設の防護柵は、単に工事現場を囲うだけでなく、山側からの落石、雪崩、崩落土砂等を受け止めて、落石等から通行人や通行車両を保護するために設置される。また、仮設の防護柵として設置されることが多いので、現場での組み立て及び分解が可能な工法が利用されることが多い。この工法は、Ｈ型鋼から成る支柱を間隔をあけて、コンクリート等の基礎に打ち込み、支柱としてのＨ型鋼のフランジ間に横長のパネル板としての鋼矢板パネルを積層配置するものであり、その施行方法についても多くの提案がなされている（例えば、特許文献１参照）。この特許文献１記載のパネル式防護柵によれば、パネル板の左右両端の垂直面部を、Ｈ型鋼支柱の溝部の対向するフランジ面に突っ張り力を作用させる留め金具により、Ｈ型鋼支柱のフランジ面に押し付け固定する構成としている。
【０００３】
一方、支柱として必要な強度を有するＨ型鋼は、そのフランジ部間寸法が鋼矢板の厚さの数倍程度のものとなるので、フランジ部間に嵌入させた鋼矢板を道路側のフランジ部の内面に当接する位置に固定して、各鋼矢板を段積みしなければならず、従来は、各鋼矢板を両側のＨ型鋼の道路側のフランジ部間に固定する手段として溶接が利用されていたが、最近では、溶接作業の手間、時間、コスト等を節減するために、各鋼矢板を両側のＨ型鋼の道路側のフランジ部間に固定するための金具に関しても各種の提案がなされている（例えば、特許文献２参照）。この特許文献２記載の鋼矢板係止金具によれば、Ｈ型鋼間に吊り降ろした鋼矢板を、上下の鋼矢板の互いに隣接する折り返し部に跨がって嵌合させた係止金具を利用して、上記Ｈ型鋼の前後フランジ部の内、道路側（前側）のフランジ部に沿った姿勢に保持させるようにしている。
【先行技術文献】
【特許文献】
【０００４】
【特許文献１】特開２００１−１９３２８５号公報
【特許文献２】特開２００１−１２３４４０号公報
【発明の概要】
【発明が解決しようとする課題】
【０００５】
上述した特許文献１記載のパネル式防護柵によれば、Ｈ型鋼支柱に溶接等の加工を施す必要がなく、材料コストが安くなる上に、施工に際してパネル板をＨ型鋼支柱に固定する作業は、留め金具を単にＨ型鋼支柱の溝部内に押し込むワンタッチ操作により能率的である。また、特許文献２記載の鋼矢板係止金具によれば、従来のように鋼矢板とＨ鋼とを溶接した場合と同様に、Ｈ鋼間に吊り降ろした鋼矢板がＨ鋼の前後フランジ部の内、道路側（前側）のフランジ部から後ろへ離間してＨ鋼内で倒伏し、場合によっては下側の鋼矢板の後ろ側に落ち込んでしまうのを防止することができる。従って、溶接が不要になり、Ｈ鋼間での鋼矢板の架設作業が簡単容易且つ迅速に実施可能になる。
【０００６】
しかしながら、いわゆる東日本大地震及びこの地震により誘起された日本列島及びその近海のプレートに生じた歪等により、近年、震度５を超すような大きな地震が日本列島の各地で頻発し、それによる落石・崩落土砂等によっても大きな被害をもたらしている。また、余震等も長期間に頻発することから、Ｈ型鋼から成る支柱を有するコンクリート構造物でさえ被害を免れない状況になることも多い。従って、道路などに設置されるパネル式防護柵についても、単に落石等に対する強度の増強が求められるだけでなく、Ｈ型鋼から成る支柱を有するパネル式防護柵自体の故障・崩壊等を防止する必要性が高まっている。例えば、地震による横揺れが何回も加わるとＨ型鋼の支柱も横揺れするため、Ｈ型鋼の支柱間で鋼矢板から成るパネル板が横ずれし、前後方向に外れて落下する事故を招く虞がある。特に、上段に設置された鋼矢板から成るパネル板が外れて落下すると、道路の通行の妨げになるだけでなく、通行人や車両などに深刻な被害を及ぼしかねない事態も想定される。
【０００７】
そこで、パネル式防護柵について、仮に大きな地震等による外力が加わっても、単に落石等に対する強度を補強してあるだけでなく、Ｈ型鋼から成る支柱間でパネル板が横ずれするのを有効に防止できる技術の開発が切望されている。
【０００８】
本発明の目的は、上述した問題点を解消し、パネル式防護柵について、仮に大きな地震等による外力が加わっても、単に落石等に対する強度を補強してあるだけでなく、Ｈ型鋼から成る支柱間でパネル板が横ずれするのを有効に防止できる技術を提供することにある。
【課題を解決するための手段】
【０００９】
本発明者は、仮に大きな地震等による外力が加わっても、単に落石等に対する強度を補強してあるだけでなく、Ｈ型鋼から成る支柱間でパネル板が横ずれするのを有効に防止できる構造について鋭意研究を重ねた結果、ことが可能なことを見出した。
【００１０】
即ち、上記目的を達成するため、本発明の第１の様相は、Ｈ型鋼から成る複数の支柱を等間隔に立設し、該Ｈ型鋼から成る支柱間に矩形のパネル板を高さ方向に複数枚固定して防護柵を構成するパネル式防護柵において、前記Ｈ型鋼から成る支柱が揺動することにより矩形のパネル板が横ずれするのを防止する横ずれ防止金具であって、前記各Ｈ型鋼から成る支柱の左右それぞれのフランジ内に嵌合するように挿入されるコ字状金具と、該コ字状金具のコ字の一辺側をパネル板に固定するボルトと、該コ字状金具の他辺側と前記フランジを挟んで対向する長尺の押圧金具と、該押圧金具と前記コ字状金具の他辺側とを前記フランジの厚み分の間隔を空けて相互に固定する締結ボルトを有することを特徴とする。
【００１１】
また、本発明の第２の様相は、Ｈ型鋼から成る複数の支柱を等間隔に立設し、該Ｈ型鋼から成る支柱間に矩形のパネル板を高さ方向に複数枚固定して防護柵を構成するパネル式防護柵において、前記Ｈ型鋼から成る支柱が揺動することにより矩形のパネル板が横ずれするのを防止する横ずれ防止構造であって、第１の横ずれ防止手段として、前記各Ｈ型鋼から成る支柱の左右それぞれのフランジ内に嵌合するように挿入されるコ字状金具と、該コ字状金具のコ字の一辺側をパネル板に固定するボルトと、該コ字状金具の他辺側と前記フランジを挟んで対向する長尺の押圧金具と、該押圧金具と前記コ字状金具の他辺側とを前記フランジの厚み分の間隔を空けて相互に固定する締結ボルトを有する横ずれ防止金具を備え、第２の横ずれ防止手段として、前記高さ方向に複数枚固定されたパネル板のうち少なくとも隣接する最上段のパネル板同士を相互に固定する横ずれ防止バーを備えていることを特徴とする。
【発明の効果】
【００１２】
本発明によれば、パネル式防護柵について、仮に大きな地震等による外力が加わっても、単に落石等に対する強度を補強してあるだけでなく、Ｈ型鋼から成る支柱間でパネル板が横ずれするのを有効に防止できる。
【図面の簡単な説明】
【００１３】
【図１】本発明が適用される一般的なパネル式防護柵を示す図である。
【図２】本発明の第１の実施形態に係るパネル式防護柵の横ずれ防止金具の基本構成を示す図であり、その平面図を示す。
【図３】本発明の第２の実施形態に係るパネル式防護柵の横ずれ防止構造を示す図であり、その正面図を示す。
【発明を実施するための形態】
【００１４】
まず、本発明の理解を容易にするために、本発明の前提である一般的なパネル式防護柵の概略について、図１を参照しつつ説明しておく。図１に示すように、パネル式防護柵１１０は、Ｈ型鋼支柱１１２を間隔をあけて土中のコンクリート基礎１１４に打ち込み、各Ｈ型鋼支柱１１２間に横長のパネル板である矢板鋼パネル１１６を、例えば、図１に示すものでは、６段に積層配置している。図１において手前側が道路側、奥側が山側である。図示した各段の矢板鋼パネル１１６は、例えば、図示しない留め金具を用いてＨ型鋼支柱１１２間に固定される。留め金具の代わりに、又はそれに加えてワイヤーロープ等によりＨ型鋼支柱１１２間に固定されるものもある。図１に示す一般的なパネル式防護柵１１０では、Ｈ型鋼支柱１１２にナット溶接等の加工を施す必要がなく、材料コストが安くなる上に、施工に際して矢板鋼パネル１１６をＨ型鋼支柱１１２に固定する作業は、留め金具等を用いて比較的簡単な操作により能率的である。また、溶接が不要になるので、Ｈ型鋼支柱１１２間での矢板鋼パネル１１６の架設作業が簡単容易且つ迅速に実施可能である。
【００１５】
しかしながら、図１に示す一般的なパネル式防護柵１１０では、落石等に対する強度の増強は図れても、Ｈ型鋼支柱１１２を有するパネル式防護柵１１０自体の故障・崩壊等を防止するための工夫が不十分であり、例えば、地震による横揺れが何回も加わるとＨ型鋼支柱１１２も横揺れするため、Ｈ型鋼支柱１１２間で鋼矢板パネル１１６が横ずれし、前後方向に外れて落下する事故を招く虞れを否定できない。特に、上段に設置された矢板鋼パネル１１６Ｕが外れて落下すると、道路の通行の妨げになるだけでなく、通行人や車両などに深刻な被害を及ぼしかねない事態も想定される。そこで、本発明者は、パネル式防護柵について、仮に大きな地震等による外力が加わっても、単に落石等に対する強度を補強してあるだけでなく、Ｈ型鋼から成る支柱間で矢板鋼パネルが横ずれするのを有効に防止できる技術の開発を始め、比較的簡単な構成でも、Ｈ型鋼から成る支柱間で矢板鋼パネルが横ずれするのを防止できる金具について試作・試験を重ねた結果、以下の実施形態の横ずれ防止金具の構成を案出した。
【００１６】
以下、図２を参照して、本発明の第１の実施形態に係る横ずれ防止金具について説明する。図２は、本発明の第１の実施形態に係るパネル式防護柵の横ずれ防止金具の基本構成を示す図であり、その平面図を示す。本実施形態の横ずれ防止金具１０は、図２に示すように、Ｈ型鋼から成る複数の支柱（Ｈ型鋼支柱）１１２を等間隔に立設し、Ｈ型鋼支柱１１２間に矩形のパネル板である矢板鋼パネル１６を高さ方向に複数枚固定して防護柵を構成するパネル式防護柵において、Ｈ型鋼支柱１１２が揺動することにより矩形の矢板鋼パネル１６が横ずれするのを防止する金具である。本実施形態の横ずれ防止金具１０は、各Ｈ型鋼支柱１１２の左右それぞれのフランジ１１２Ｆ内に嵌合するように挿入されるコ字状金具２０と、コ字状金具２０のコ字の一辺側２０Ａを矢板鋼パネル１６に固定するボルトとしての蝶ネジ（ウイングボルト）２２と、コ字状金具２０の他辺側２０Ｂとフランジ１１２Ｆを挟んで対向する長尺の押圧金具２４と、押圧金具２４とコ字状金具２０の他辺側２０Ｂとをフランジ１１２Ｆの厚み分の間隔Ｇを空けて相互に固定する締結ボルト２６を有する。ここで、コ字状金具２０は、矩形のパネル板である矢板鋼パネル１６の１枚の高さよりは小さい、例えば、十数cmの高さ（幅）を有しており、コ字の一辺側、他辺側とは、それぞれコ字状金具を平面又は断面で見た場合の一辺側、他辺側という意味である。従って、その高さ（幅）を含めて表現すれば、コ字の一面側、他面側と言うこともできる。尚、蝶ネジ（ウイングボルト）２２による矢板鋼パネル１６への固定を容易にするため、コ字状金具２０のコ字の一辺側２０Ａを貫通するボルト穴２２Ｇは、余裕を持たせた横長の溝状に形成されている。また、締結ボルト２６による押圧金具２４とコ字状金具２０の他辺側２０Ｂとの締結固定を容易にするため、押圧金具２４とコ字状金具２０の他辺側２０Ｂをそれぞれ貫通するボルト穴２６Ｇは、余裕を持たせた横長の溝状に形成されている。
【００１７】
各コ字状金具２０は、鋼板の打ち抜き、折り曲げ加工により製作したもので、図２に示すように、上面から見て、Ｈ型鋼支柱１１２の左右それぞれのフランジ１１２Ｆ内に嵌合するように、それぞれ反対側を向いたコ字形の断面形状を有している。各コ字状金具２０は、Ｈ型鋼支柱１１２のウェブ１１２Ｗと平行に配置された中間平板部２０Ｃと、この中間平板部２０Ｃから矢板鋼パネル１６側に略直角に折れ曲がった一辺側２０Ａと、中間平板部２０Ｃから反対側に略直角に折れ曲がった他辺側２０Ｂを有している。中間平板部２０Ｃは、Ｈ型鋼支柱１１２のウェブ１１２Ｗと当接していても良いし、図２に示すように、僅かに間隔Ｓを空けて平行に配置されていても良い。また、コ字状金具２０には、中間平板部２０Ｃと一辺側２０Ａとの境界を画す直角部にはリブ２０Ｄ、中間平板部２０Ｃと他辺側２０Ｂとの境界を画す直角部にはリブ２０Ｅが、それぞれ形成されている。これらのリブ２０Ｄ、リブ２０Ｅは、パネル式防護柵に、例えば、地震による横揺れが何回も加わり、Ｈ型鋼支柱１１２も横揺れする場合に、コ字状金具２０自体の強度を高めてコ字形状を保持すると共に、各Ｈ型鋼支柱１１２の左右それぞれのフランジ１１２Ｆ内で、矢板鋼パネル１６がその厚み方向に搖動してコ字状金具２０の一辺側２０Ａと他辺側２０Ｂとが相互に開閉方向の応力を受ける場合にコ字形状の保持、更にはコ字状金具２０自体の破損等を防止することに寄与し得る。
【００１８】
尚、図示しないが、本実施形態の横ずれ防止金具１０は、例えば、下から２段目の各矢板鋼パネル１６と各Ｈ型鋼支柱１１２間、最上段の各矢板鋼パネル１６と各Ｈ型鋼支柱１１２間の２つの段の矢板鋼パネル１６について使用されている。さて、パネル式防護柵に、例えば、地震による横揺れが加わるとＨ型鋼支柱１１２も横揺れするため、Ｈ型鋼支柱１１２間で矢板鋼パネル１６も横方向に搖動し易くなる。ところが、本実施形態の横ずれ防止金具１０では、中間平板部２０ＣがＨ型鋼支柱１１２のウェブ１１２Ｗと当接し、或いは、図２に示すように、僅かに間隔を空けて平行に配置されているので、隣接して取付けられた２つの横ずれ防止金具１０それぞれのコ字状金具２０の中間平板部２０ＣがＨ型鋼支柱１１２のウェブ１１２Ｗに当接し、或いは横方向にずれてもウェブ１１２Ｗに衝突して当接するので、横方向の移動はかかる範囲内に規制される。この結果、Ｈ型鋼支柱１１２間で矢板鋼パネル１６が横ずれし、前後方向に外れて落下するのを未然に防止することができる。特に、上段に設置された矢板鋼パネル１６Ｕが外れて落下するのを有効に防止できるので、上段に設置された矢板鋼パネル１１６Ｕが外れて落下することで道路の通行の妨げになり、或いは、通行人や車両などに深刻な被害を及ぼす事故を防止可能になる。
【００１９】
続いて、図３を参照して、本発明の第２の実施形態について説明する。図３は、本発明の第２の実施形態に係るパネル式防護柵の横ずれ防止構造を示す図であり、その正面図を示す。図３に示すように、本実施形態の横ずれ防止構造３０は、複数のＨ型鋼支柱１１２を等間隔に立設し、これらＨ型鋼支柱１１２間に矩形のパネル板である矢板鋼パネル１６を高さ方向に複数枚固定して防護柵を構成するパネル式防護柵において、Ｈ型鋼支柱１１２が揺動することにより矩形の矢板鋼パネル１６が横ずれするのを防止する。本実施形態の横ずれ防止構造３０は、第１の横ずれ防止手段として、図２に示した第１の実施形態の横ずれ防止金具１０を有している。即ち、本実施形態の横ずれ防止構造３０は、第１の横ずれ防止手段として、各Ｈ型鋼支柱１１２の左右それぞれのフランジ１１２Ｆ内に嵌合するように挿入されるコ字状金具２０と、コ字状金具２０のコ字の一辺側２０Ａを矢板鋼パネル１１２に固定するボルトとしての蝶ネジ（ウイングボルト）２２と、コ字状金具２０の他辺側２０Ｂとフランジ１１２Ｆを挟んで対向する長尺の押圧金具２４と、押圧金具２４とコ字状金具２０の他辺側２０Ｂとをフランジ１１２Ｆの厚み分の間隔Ｇを空けて相互に固定する締結ボルト２６を有している。コ字状金具２０のその他各部の構成は、図２に示した第１の実施形態のものと全く同様である。
【００２０】
また、本実施形態の横ずれ防止構造３０は、第２の横ずれ防止手段として、高さ方向に複数枚固定された矢板鋼パネル１６のうち少なくとも隣接する最上段の矢板鋼パネル１６Ｕ同士を相互に固定する横ずれ防止バー３２を備えている。即ち、本実施形態のパネル式防護柵の横ずれ防止構造３０は、例えば、各々縦１ｍで横２．５mの５枚の矢板鋼パネル１６を５段に積層配置しており、図３において手前側が道路側、奥側が山側である。尚、本実施形態の横ずれ防止構造３０では、最下層の矢板鋼パネル１６の上角部と、下から４層目の矢板鋼パネル１６の上角部（５層目の矢板鋼パネル１６の下側）の２箇所に横ずれ防止金具１０を設置している。また、高さ方向に５枚固定された矢板鋼パネル１６のうち隣接する最上段の矢板鋼パネル１６Ｕ（即ち、５層目の矢板鋼パネル１６）同士を相互に固定するように横ずれ防止バー３２が、パネル間の開きを防止し横ずれの防止を強化するための補助バーとして取付けられている。さて、パネル式防護柵に、例えば、地震による横揺れが加わるとＨ型鋼支柱１１２も横揺れするため、Ｈ型鋼支柱１１２間で矢板鋼パネル１６も横方向に搖動し易くなる。ところが、本実施形態の横ずれ防止構造３０では、第１の横ずれ防止手段として隣接するＨ型鋼支柱１１２間に高さ方向に２箇所取付けられた横ずれ防止金具１０が、第１の実施形態と同様の効果を奏する。
【００２１】
即ち、各横ずれ防止金具１０の中間平板部２０ＣがＨ型鋼支柱１１２のウェブ１１２Ｗと当接し、或いは、図２に示すように、僅かに間隔を空けて平行に配置されているので、隣接して取付けられた２つの横ずれ防止金具１０それぞれのコ字状金具２０の中間平板部２０ＣがＨ型鋼支柱１１２のウェブ１１２Ｗに当接し、或いは横方向にずれてもウェブ１１２Ｗに衝突して当接するので、横方向の移動はかかる範囲内に規制される。この結果、Ｈ型鋼支柱１１２間で矢板鋼パネル１６が横ずれし、前後方向に外れて落下するのを未然に防止することができる。また、下から４層目の矢板鋼パネル１６の上角部（５層目の矢板鋼パネル１６の下側）の箇所に取付けられた横ずれ防止金具１０により、特に、最上段に設置された矢板鋼パネル１６Ｕが外れて落下するのを有効に防止できる。
【００２２】
更に、本実施形態の横ずれ防止構造３０では、第２の横ずれ防止手段として高さ方向に５枚固定された矢板鋼パネル１６のうち隣接する最上段の矢板鋼パネル１６Ｕ（即ち、５層目の矢板鋼パネル１６）同士を相互に固定するように横ずれ防止バー３２が、パネル間の開きを防止し横ずれの防止を強化するために取付けられているので、最上段に設置された矢板鋼パネル１１６Ｕが外れて落下することで道路の通行の妨げになり、或いは、通行人や車両などに深刻な被害を及ぼす事故を十分有効に防止可能である。尚、図３に示すパネル式防護柵では、図１に示した一般的なパネル式防護柵と同様の図示しない留め金具を用いて各段の矢板鋼パネル１６をＨ型鋼支柱１１２間に固定しているが、本実施形態の横ずれ防止構造３０では、上述した横ずれ防止金具１０及び横ずれ防止バー３２が取付けられているので、これらが横ずれ防止だけでなく、矢板鋼パネル１６をＨ型鋼支柱１１２間に固定する強度の強化にも役立つという効果が得られる。一方、横ずれ防止金具１０及び横ずれ防止バー３２が設けられている分、留め金具を使用する箇所を少なくでき、費用が低減され、物流コストも抑えることも可能になる。
【産業上の利用可能性】
【００２３】
以上に述べた実施形態では、本発明を落石、雪崩、崩落土砂等から道路の通行人や通行車両を保護する防護柵に適用したが、本発明は、特許請求の範囲の記載の範囲内で、その他の用途のパネル式防護柵にも広く適用することができる。
【符号の説明】
【００２４】
１０  横ずれ防止金具、  １６  矢板鋼パネル、  ２０  コ字状金具、
２０Ａ  コ字の一辺側、  ２０Ｂ  コ字の他辺側、  ２２  蝶ネジ（ウイングボルト）、
２４  押圧金具、  ２６  締結ボルト、  ３０  横ずれ防止構造、３２  横ずれ防止バー、
１１２  Ｈ型鋼支柱、１１２Ｆ  フランジ、  Ｇ  間隔
【図１】
2018066248.tif 000003
【図２】
2018066248.tif 000004
【図３】
2018066248.tif 000005